(57)【特許請求の範囲】
【請求項１】
取付面に取着した取付ブラケットにフレームを取着し、前記フレームに前側生地及び後側生地を昇降可能に吊下支持した二重たくし上げカーテンにおいて、
前記フレームは、それぞれ独立した前側フレームと後側フレームとで構成し、前記前側フレームに前記前側生地及びその昇降装置を取着し、前記後側フレームに前記後側生地及びその昇降装置を取着し、
前記前側フレームと後側フレームは、ジョイントで接続した状態で前記取付ブラケットに取付可能とし、
前記ジョイントは、上部片及び下部片と、該上部片及び下部片とを互いに離間する方向に付勢する付勢手段とで構成し、前記上部片及び下部片の両端部を前記前側フレーム及び後側フレームのリブに係合させて、前記前側フレーム及び後側フレームを接続したことを特徴とする二重たくし上げカーテン。
【請求項２】
前記前側フレーム及び後側フレームには、複数のコードガイド及びコードストッパをそれぞれ取着し、前記前側生地を昇降する昇降コードは、前側フレームに取着されたコードガイド及びコードストッパを経て下方へ垂下し、前記後側生地を昇降する昇降コードは、後側フレームに取着されたコードガイド及びコードストッパを経て下方へ垂下し、各昇降コードの操作により前記前側生地及び前記後側生地をそれぞれ昇降操作可能としたことを特徴とする請求項１記載の二重たくし上げカーテン。
【請求項３】
前記前側フレーム及び後側フレームの外側面で前記前側生地と後側生地をそれぞれ吊下支持し、前記前側フレーム及び後側フレームの対向面に前記コードガイド及びコードストッパを取着したことを特徴とする請求項２記載の二重たくし上げカーテン。
【請求項４】
前記前側フレームは、後側フレームより長く形成し、前記前側生地及び後側生地は、各フレームの全長にわたって吊下支持し、前記後側フレームを窓の縦枠間に設置し、前記前側フレームを窓の前方に設置して、前側生地で窓を覆うようにしたことを特徴とする請求項１乃至３のいずれかに記載の二重たくし上げカーテン。
【請求項５】
前記前側フレームから垂下される昇降コードと、前記後側フレームから垂下される昇降コードを、所定間隔を隔てて垂下し、前記各昇降コードにそれぞれ操作コードを接続したことを特徴とする請求項２記載の二重たくし上げカーテン。
【請求項６】
前記後側フレームの一端側において、前記コードストッパを前記後側生地を吊下支持する昇降コードより中央側に位置させ、該昇降コードを案内ローラーを介して前記コードストッパに案内したことを特徴とする請求項５記載の二重たくし上げカーテン。
【発明の詳細な説明】
【０００１】
【発明の属する技術分野】
この発明は、前後に２枚のカーテン生地を昇降可能に吊下支持した二重たくし上げカーテンに関するものである。
【０００２】
【従来の技術】
従来、たくし上げカーテンの一種類として、フレームから２枚のカーテン生地を吊下支持し、それぞれ独立して昇降操作可能としたものがある。
【０００３】
特開２００１−２１１９９３号公報に記載されたたくし上げカーテンでは、共通のフレームの前後両辺からカーテン生地がそれぞれ吊下支持される。フレームの前辺から吊下支持されるカーテン生地を昇降するための昇降コードは、前辺下部に取着されるコードガイドを介してフレームの一側に案内され、ストッパ装置を経て下方へ垂下されている。
【０００４】
また、フレームの後辺から吊下支持されるカーテン生地を昇降するための昇降コードは、後辺下部に取着されるコードガイドを介してフレームの他側に案内され、ストッパ装置を経て下方へ垂下されている。
【０００５】
そして、各昇降コードを操作することにより、２枚のカーテン生地をそれぞれ独立して昇降可能となっている。
【０００６】
【発明が解決しようとする課題】
上記のようなたくし上げカーテンでは、組み立て作業時には、まず一方のカーテン生地をフレームに取付けるとともに、その昇降コードをコードガイド及びストッパ装置に挿通し、次いで他方のカーテン生地をフレームに取付け、昇降コードをコードガイド及びストッパ装置に挿通する必要がある。
【０００７】
従って、一方のカーテン生地の昇降コードが、対応するコードガイド及びストッパ装置に挿通されているフレームに、さらに他方のカーテン生地の昇降コードを対応するコードガイド及びストッパ装置に挿通する必要があるため、その組み立て作業が煩雑である。
【０００８】
また、共通のフレームに吊下支持される２枚のカーテン生地の幅は、ともにフレームの長さ以内である。従って、窓の縦枠間にフレームを取着する場合には、カーテン生地と窓枠との間に隙間が生じ、光洩れが発生するという問題点がある。
【０００９】
この発明の目的は、組み立て作業を容易に行い得る二重たくし上げカーテンを提供することにある。また、組み立て作業を容易に行い得るとともに、カーテン生地と窓枠との間からの光洩れを防止し得る二重たくし上げカーテンを提供することにある。
【００１０】
【課題を解決するための手段】
請求項１では、取付面に取着した取付ブラケットにフレームを取着し、前記フレームに前側生地及び後側生地を昇降可能に吊下支持した二重たくし上げカーテンにおいて、前記フレームは、それぞれ独立した前側フレームと後側フレームとで構成し、前記前側フレームに前記前側生地及びその昇降装置を取着し、前記後側フレームに前記後側生地及びその昇降装置を取着し、前記前側フレームと後側フレームは、ジョイントで接続した状態で前記取付ブラケットに取付可能とし、前記ジョイントは、上部片及び下部片と、該上部片及び下部片とを互いに離間する方向に付勢する付勢手段とで構成し、前記上部片及び下部片の両端部を前記前側フレーム及び後側フレームのリブに係合させて、前記前側フレーム及び後側フレームを接続した。
【００１１】
請求項２では、前記前側フレーム及び後側フレームには、複数のコードガイド及びコードストッパをそれぞれ取着し、前記前側生地を昇降する昇降コードは、前側フレームに取着されたコードガイド及びコードストッパを経て下方へ垂下し、前記後側生地を昇降する昇降コードは、後側フレームに取着されたコードガイド及びコードストッパを経て下方へ垂下し、各昇降コードの操作により前記前側生地及び前記後側生地をそれぞれ昇降操作可能とした。
【００１３】
請求項３では、前記前側フレーム及び後側フレームの外側面で前記前側生地と後側生地をそれぞれ吊下支持し、前記前側フレーム及び後側フレームの対向面に前記コードガイド及びコードストッパを取着した。
【００１４】
請求項４では、前記前側フレームは、後側フレームより長く形成し、前記前側生地及び後側生地は、各フレームの全長にわたって吊下支持し、前記後側フレームを窓の縦枠間に設置し、前記前側フレームを窓の前方に設置して、前側生地で窓を覆うようにした。
請求項５では、前記前側フレームから垂下される昇降コードと、前記後側フレームから垂下される昇降コードを、所定間隔を隔てて垂下し、前記各昇降コードにそれぞれ操作コードを接続した。
請求項６では、前記後側フレームの一端側において、前記コードストッパを前記後側生地を吊下支持する昇降コードより中央側に位置させ、該昇降コードを案内ローラーを介して前記コードストッパに案内した。
【００１５】
【発明の実施の形態】
（第一の実施の形態）
以下、この発明を具体化した二重たくし上げカーテンの第一の実施の形態を図面に従って説明する。
【００１６】
図１及び図３に示すように、たくし上げカーテンのフレームは、アルミ押し出し形材にてなる同一形状の前側フレーム１ａと後側フレーム１ｂとで構成され、両フレーム１ａ，１ｂが複数のジョイント２で接続されている。
【００１７】
図５に示すように、前記ジョイント２は上部片２ａと、下部片２ｂと、上部片２ａ及び下部片２ｂを互いに離間する方向に付勢するコイルスプリング２ｃとで構成される。
【００１８】
そして、上部片２ａの両端部を前記前側フレーム１ａ及び後側フレーム１ｂの上端部に形成された上部連結リブ３に係合させ、下部片２ｂの両端部を前記前側フレーム１ａ及び後側フレーム１ｂの中間部に形成された下部連結リブ４に係合させると、前記コイルスプリング２ｃの付勢力により上部片２ａ及び下部片２ｂが互いに離間する方向に付勢されることにより、前側フレーム１ａ及び後側フレーム１ｂが接続される。
【００１９】
前記前側フレーム１ａの前面には、前側生地５の上端部が面ファスナーにより接着され、前記後側フレーム１ｂの後面には、前記前側生地５とは異なる素材で形成される後側生地６の上端部が面ファスナーにより接着されている。従って、前側生地５及び後側生地６がフレーム１ａ，１ｂから二重に吊下支持されている。
【００２０】
図３に示すように、前記前側フレーム１ａは、後側フレーム１ｂより長く形成され、前記各生地５，６は各フレーム１ａ，１ｂの長さに等しい幅で形成される。
【００２１】
前記フレーム１ａ，１ｂは、取付ブラケット７を介して窓の上枠等の取付面に固定される。そして、図３に示すように、後側フレーム１ｂが窓の縦枠８間に支持され、前側フレーム１ａは窓枠より室内側に支持されて、縦枠８の間隔より長く形成される。
【００２２】
従って、前側フレーム１ａから吊下支持される前側生地５は、窓面を完全に覆うようになっている。
図１及び図２に示すように、前記前側生地５及び後側生地６の下端部は袋状に形成され、その内部にボトムレール１６ａ，１６ｂがそれぞれ収容されている。
【００２３】
前記前側生地５の下端部は、複数本の昇降コード９ａの下端に取着されたフック１０ａで吊下支持され、その昇降コード９ａは前側生地５の裏面に等間隔に取着された案内リング１１ａに挿通されて上方へ案内され、前側フレーム１ａの下部に複数取着されたコードガイド１２ａで前側フレーム１ａの一端に向かって案内される。
【００２４】
そして、前側フレーム１ａに取着されているコードストッパ１３ａを経て、前側フレーム１ａの一端から垂下され、コードイコライザ１４ａを介して操作コード１５ａが接続されている。
【００２５】
このような構成により、コードストッパ１３ａから昇降コード９ａを引き出せば前側生地５を引き上げ可能であり、ボトムレール１６ａ及び前側生地５の重量に基づいて昇降コード９ａをコードストッパ１３ａ内に引き込ませれば、前側生地５を下降操作可能である。
【００２６】
前記後側生地６の下端部は、複数本の昇降コード９ｂの下端に取着されたフック１０ｂで吊下支持され、その昇降コード９ｂは後側生地６の裏面に等間隔に取着された案内リング１１ｂに挿通されて上方へ案内され、後側フレーム１ｂの下部に複数取着されたコードガイド１２ｂで後側フレーム１ｂの一端に向かって案内される。
【００２７】
そして、後側フレーム１ｂに取着されているコードストッパ１３ｂを経て、後側フレーム１ｂの一端部から垂下され、コードイコライザ１４ｂを介して操作コード１５ｂが接続されている。
【００２８】
このような構成により、コードストッパ１３ｂから昇降コード９ｂを引き出せば後側生地６を引き上げ可能であり、ボトムレール１６ｂ及び後側生地６の重量に基づいて昇降コード９ｂをコードストッパ１３ｂ内に引き込ませれば、後側生地６を下降操作可能である。
【００２９】
なお、コードストッパ１３ｂは後側フレーム１ｂの一端側において、昇降コード９ｂより中央側に位置しているので、後側フレーム１ｂの一端側に垂下される昇降コード９ｂは、後側フレーム１ｂに回転可能に支持された案内ローラー１７ａ，１７ｂを介してコードストッパ１３ｂに案内される。
【００３０】
従って、コードストッパ１３ｂから垂下される昇降コード９ｂ及び操作コード１５ｂは、コードストッパ１３ａから垂下される昇降コード９ａ及び操作コード１５ａから所定間隔を隔てて垂下されている。
【００３１】
前記コードストッパ１３ａ，１３ｂは、昇降コード９ａ，９ｂの引き出しあるいはボトムレール１６の重量に基づく引き込みを可能として前側生地５及び後側生地６を昇降可能とする状態と、ボトムレール１６の重量に基づく引き込みを阻止して、前側生地５及び後側生地６を昇降可能とする状態とを交互に選択可能とした公知の構成を備える。
【００３２】
図２及び図４に示すように、前記前側フレーム１ａ及び後側フレーム１ｂの両端部には、キャップ２５が取着されている。
上記のように構成された二重たくし上げカーテンの組み立て方法は、まず前側フレーム１ａに前側生地５を取着し、前側生地５及び前側フレーム１ａのコードガイド１２ａ及びコードストッパ１３ａに昇降コード９ａを挿通する。
【００３３】
また、後側フレーム１ｂに後側生地６を取着し、後側生地６及び後側フレーム１ｂのコードガイド１２ｂ及びコードストッパ１３ｂに昇降コード９ｂを挿通する。
【００３４】
次いで、前側フレーム１ａと後側フレーム１ｂとをジョイント２で接続し、あらかじめ取付面に固定した取付ブラケット７に前側フレーム１ａ及び後側フレーム１ｂを取着する。
【００３５】
このようして設置された二重たくし上げカーテンでは、操作コード１５ａの操作により前側生地５を昇降可能であり、操作コード１５ｂの操作により後側生地６を昇降可能である。
【００３６】
従って、操作コード１５ａ，１５ｂの操作により、前側生地５及び後側生地６をそれぞれ昇降操作すれば、図４に示すように、前側生地５及び後側生地６をともに下限まで下降させた状態、図２に示すように後側生地６を下限まで下降させた状態で前側生地５を所望高さまで引き上げた状態、あるいは前側生地５及び後側生地６をともに上限まで引き上げた状態等のいずれかを選択可能である。
【００３７】
上記のように構成された二重たくし上げカーテンでは、次に示す作用効果を得ることができる。
（１）異なる素材の前側生地５及び後側生地６を昇降して、採光及び遮光の調節を行うことができる。
（２）前側生地５と後側生地６及びその昇降装置とをそれぞれ独立したフレーム１ａ，１ｂに取着した。従って、その組み立て作業をそれぞれ独立して行うことができるので、その作業を容易に行うことができる。
（３）フレーム１ａ，１ｂは、ジョイント２で容易に接続することができるとともに、ジョイント２の上部片２ａ及び下部片２ｂの間隔をコイルスプリング２ｃの付勢力に抗して縮めれば、フレーム１ａ，１ｂの接続を容易に解除することができる。
（４）ジョイント２で接続されたフレーム１ａ，１ｂは取付ブラケット７で取付面に容易に取着することができる。
（５）前側フレーム１ａを後側フレーム１ｂより長くして、後側フレーム１ｂを窓の縦枠８間に支持しながら、前側フレーム１ａを窓の前方で窓を幅方向に覆う範囲で支持することができる。従って、前側フレーム１ａから吊下支持される前側生地５により窓を幅方向に完全に覆って、窓の両側からの光洩れを確実に防止することができる。
（６）昇降コード９ａ及び操作コード１５ａと、昇降コード９ｂ及び操作コード１５ｂとは所定間隔を隔てて垂下されているので、互いの絡みつきを防止することができる。
（参考例）
図６は、参考例を示す。この参考例は、前側フレーム２６ａ及び後側フレーム２６ｂを取付ブラケット１８で位置決めしながら吊下支持する構成である。
【００３８】
前記前側フレーム２６ａ及び後側フレーム２６ｂは、第一の実施の形態の前側フレーム１ａ及び後側フレーム１ｂに対し、その上端部のリブ１９の構成が異なり、その他の構成は前記前側フレーム１ａ及び後側フレーム１ｂと同様である。
【００３９】
前記前側フレーム２６ａには、前側生地５の上端が取着され、前記後側フレーム２６ｂには、後側生地６の上端が取着される。そして、前側生地５及び後側生地６は、前記第一の実施の形態と同様な昇降装置によりそれぞれ独立して昇降可能である。
【００４０】
前記取付ブラケット１８は、金属板を折り曲げて形成される本体２０と、合成樹脂で成形されて、その本体２０に移動可能に支持される一対のスライドブロック２１と、本体２０を取付面に固定するためのネジ２３とで構成される。
【００４１】
そして、前記前側フレーム２６ａ及び後側フレーム２６ｂは、本体２０の両端部において本体２０とスライドブロック２１との間でリブ１９が支持され、その状態でスライドブロック２１がネジ２４で本体２０に対し移動不能に固定される。
【００４２】
このような二重たくし上げカーテンを設置するには、まず取付ブラケット１８を取付面に固定する。そして、あらかじめ前側生地５及びその昇降装置を取着した前側フレーム２６ａと、後側生地６及びその昇降装置を取着した後側フレーム２６ｂとをそれぞれ取付ブラケット１８に取着すればよい。
【００４３】
従って、上記のように構成された二重たくし上げカーテンでは、前記第一の実施の形態で得られた（１）（２）と同様な作用効果を得ることができる。
上記実施の形態は、次に示すように変更することもできる。
・第一の実施の形態において、ジョイント２で接続した前側フレーム１ａと後側フレーム１ｂのいずれかを取付ブラケットで支持する構成としてもよい。
・第一の実施の形態において、ジョイント２に取付ブラケット７に支持するための係止部を設け、前側フレーム１ａと後側フレーム１ｂとをジョイントで接続した状態で、そのジョイントを取付ブラケットで支持するようにしてもよい。
【００４４】
【発明の効果】
以上詳述したように、この発明は組み立て作業を容易に行い得る二重たくし上げカーテンを提供することができる。また、組み立て作業を容易に行い得るとともに、カーテン生地と窓枠との間からの光洩れを防止し得る二重たくし上げカーテンを提供することができる。
【図面の簡単な説明】
【図１】  第一の実施の形態の二重たくし上げカーテンを示す正面図である。
【図２】  二重たくし上げカーテンを示す側面図である。
【図３】  二重たくし上げカーテンを示す平面図である。
【図４】  二重たくし上げカーテンを示す側面図である。
【図５】  フレーム、ジョイント及びコードガイドを示す断面図である。
【図６】  参考例を示す断面図である。
【符号の説明】
１ａ          前側フレーム
１ｂ          後側フレーム
５            前側生地
６            後側生地
９ａ，９ｂ      昇降装置（昇降コード）
１２ａ，１２ｂ    昇降装置（コードガイド）
１３ａ，１３ｂ    昇降装置（コードストッパ）
【図１】
0004722348.tif 000002
【図２】
0004722348.tif 000003
【図３】
0004722348.tif 000004
【図４】
0004722348.tif 000005
【図５】
0004722348.tif 000006
【図６】
0004722348.tif 000007